(57)【特許請求の範囲】
【請求項１】
原稿を読み取る原稿読取部と、各種機能に係る設定を行うためのユーザインタフェース画像を表示する表示部と、を備え、前記原稿読取部で読み取った原稿の画像に対し、前記ユーザインタフェース画像を介して入力された設定に基づいて処理を行う画像処理装置であって、
当該画像処理装置に対してセットされた原稿を検知する検知部と、
該検知部での検知結果に応じて、前記ユーザインタフェース画像に含まれる操作ボタンを表示変更する表示制御部とを備え、
前記表示制御部は、前記原稿のセットされた場所が原稿台の場合と自動原稿搬送装置の場合とで、前記操作ボタンを異ならせ、
前記原稿のセットされた場所が前記原稿台の場合に、少なくとも出来あがった印刷物を二つ折りにすると中綴じの冊子になるようコピーする操作ボタン、または、原稿１頁を複数枚の用紙に分けて印刷する操作ボタンを表示することを特徴とする画像処理装置。
【請求項２】
原稿を読み取る原稿読取部と、各種機能に係る設定を行うためのユーザインタフェース画像を表示する表示部と、を備え、前記原稿読取部で読み取った原稿の画像に対し、前記ユーザインタフェース画像を介して入力された設定に基づいて処理を行う画像処理装置であって、
当該画像処理装置に対してセットされた原稿を検知する検知部と、
該検知部での検知結果に応じて、前記ユーザインタフェース画像に含まれる操作ボタンを表示変更する表示制御部とを備え、
前記表示制御部は、前記原稿が原稿台にセットされた状態において原稿カバーが閉じているか否かに応じて前記操作ボタンを異ならせることを特徴とする画像処理装置。
【発明の詳細な説明】
【技術分野】
【０００１】
本発明は、画像処理装置に関し、特に、原稿読取部で読み取った原稿の画像に対し、設定画面を介した設定に基づいて処理を行う画像処理装置に関する。
【背景技術】
【０００２】
複合機などの画像処理装置は、コピー機能やＦＡＸ機能などを有し、また、これらの機能のために原稿を読み取る原稿読取部を備える。さらに、画像処理装置は上述の機能に係る設定を行うための設定画面を表示する表示部を備える。このような画像処理装置は、Ａ４，Ｂ４などの定型サイズの原稿の他に、不定型サイズの原稿を読み取ったり、冊子状に綴じられた状態の原稿を読み取ったりできるようになっている。
【０００３】
特許文献１に開示の画像処理装置は、原稿読取部によって読み取られた原稿の画像に集約処理を行うものであって、不定型の原稿サイズ及び集約条件を一度設定し登録しておくことで、以降に同じ不定型サイズ原稿を集約する作業を繰り返す場合に再設定する必要をなくしている。
【先行技術文献】
【特許文献】
【０００４】
【特許文献１】特開２０１０−１２８２７４号公報
【発明の開示】
【発明が解決しようとする課題】
【０００５】
複合機などの画像処理装置には、定型サイズ原稿を定型サイズ用紙に印刷する機能などの通常機能とは別に、不定型サイズ原稿や冊子状に綴じられた原稿といった特殊な原稿などのための特別機能を有する。特別機能とは、例えば、読み取った原稿の画像を複数並べて１枚の用紙上に印刷する写真リピート機能である。
この特別機能の設定画面は、通常機能の設定画面とは別に用意されている。平常時は通常機能の設定画面が表示される。この通常機能の設定画面には、特別機能の選択画面へ遷移するための操作ボタンが含まれる。そして、この特別機能の選択画面を操作することによって所望の特別機能の設定画面が表示される。つまり、特別機能の設定を行うには手間がかかる。また、この特別機能はユーザが予め知っていないと用いることができない。
この点に関し、特許文献１には何ら開示されていない。
【０００６】
本発明は、上述のような実情に鑑みてなされたものであり、不定型サイズ原稿などの特殊な原稿を読み取り可能であり、特殊な原稿などに好適に用いられる特別機能の存在を予め知らないユーザであってもその特別機能の設定を設定画面を介して容易に行うことができる画像処理装置を提供することをその目的とする。
【課題を解決するための手段】
【０００７】
上記課題を解決するために、本発明の第１の技術手段は、原稿を読み取る原稿読取部と、各種機能に係る設定を行うためのユーザインタフェース画像を表示する表示部と、を備え、前記原稿読取部で読み取った原稿の画像に対し、前記ユーザインタフェース画像を介して入力された設定に基づいて処理を行う画像処理装置であって、当該画像処理装置に対してセットされた原稿を検知する検知部と、該検知部での検知結果に応じて、前記ユーザインタフェース画像に含まれる操作ボタンを表示変更する表示制御部とを備え、前記表示制御部は、前記原稿のセットされた場所が原稿台の場合と自動原稿搬送装置の場合とで、前記操作ボタンを異ならせ、少なくとも前記原稿のセットされた場所が前記原稿台の場合に、出来あがった印刷物を二つ折りにすると中綴じの冊子になるようコピーする操作ボタン、または、原稿１頁を複数枚の用紙に分けて印刷する操作ボタンを表示することを特徴としたものである。
【００１０】
本発明の第２の技術手段は、原稿を読み取る原稿読取部と、各種機能に係る設定を行うためのユーザインタフェース画像を表示する表示部と、を備え、前記原稿読取部で読み取った原稿の画像に対し、前記ユーザインタフェース画像を介して入力された設定に基づいて処理を行う画像処理装置であって、当該画像処理装置に対してセットされた原稿を検知する検知部と、該検知部での検知結果に応じて、前記ユーザインタフェース画像に含まれる操作ボタンを表示変更する表示制御部とを備え、前記表示制御部は、前記原稿が原稿台にセットされた状態において原稿カバーが閉じているか否かに応じて前記操作ボタンを異ならせることを特徴としたものである。
【発明の効果】
【００１１】
本発明の画像処理装置によれば、特殊な原稿に好適に用いられる特別機能の存在を予め知らないユーザであってもその特別機能の設定を設定画面を介して容易に行うことができる。
【図面の簡単な説明】
【００１２】
【図１】本発明の第１の実施形態に係る複合機の一構成例を示すブロック図である。
【図２】図１の複合機の一例を示す外観図である。
【図３】本発明の第１の実施形態に係るユーザインタフェース画像の一例を示す図である。
【図４】本発明の第１の実施形態に係るユーザインタフェース画像の他の例を示す図である。
【図５】図１の複合機における処理の一例を説明するためのフローチャートである。
【図６】本発明の第２の実施形態に係るユーザインタフェース画像の一例を示す図である。
【図７】本発明の第２の実施形態に係る複合機の処理の一例を示す図である。
【図８】本発明の第３の実施形態に係るユーザインタフェース画像の一例を示す図である。
【図９】本発明の第３の実施形態に係る複合機の処理の一例を示す図である。
【発明を実施するための形態】
【００１３】
本発明に係る画像処理装置は、例えばスキャナからの原稿読取機能、コピー機能、プリント機能、ファクシミリ（ＦＡＸ）機能などの複数種類の機能をもつ複合機（ＭＦＰ）として構成される。また、本発明の画像処理装置は、通常機能の他に該通常機能とは異なる特別機能を有する。通常機能とは、原稿がセットされたときに最初に表示される設定画面を介して設定可能な機能であり、例えば、定型サイズ原稿を定型サイズ用紙に印刷する機能である。
以下、図面を参照しながら、本発明の画像処理装置をＭＦＰとして構成した例で説明する。なお、以下の発明において、異なる図面においても同じ符号を付した構成は同様のものであるとして、その説明を省略する。
【００１４】
（第１の実施形態）
図１は本発明の第１の実施形態に係るＭＦＰの一構成例を示すブロック図、図２は図１のＭＦＰの一例を示す外観図である。図３及び図４は図１のＭＦＰが表示するユーザインタフェース画像（ＵＩ画像）の例を示す図である。
【００１５】
図１のＭＦＰ１は、その全体を制御する制御部１０、及びユーザからの操作入力を受け付ける操作部１３を備える。また、ＭＦＰ１は、複数種類の機能をもつ機器であり、そのために例えば、画像処理部１１、印刷部１２、原稿読取部１４及び通信部１５を備える。なお、ＭＦＰ１にもたせる機能によっては、例えば通信部１５を具備しない場合や、ＭＦＰ１にこれら以外の部位を具備する場合もある。さらに、ＭＦＰ１は原稿検知部１６を備える。
【００１６】
制御部１０は、プログラム保存領域にＭＦＰ１の全体を制御するための制御プログラム（ファームウェア）を格納し、その制御プログラムを動作させることで各種制御を行う。例えば制御部１０は、ＣＰＵ（Central Processing Unit）又はＭＰＵ（Micro Processing Unit）、作業領域としてのＲＡＭ（Random Access Memory）、及び上記制御プログラムや各種設定内容を記憶した記憶装置などの制御デバイスで構成することができ、集積回路／ＩＣ（Integrated Circuit）チップセットとして搭載することもできる。上述の記憶装置としては、フラッシュＲＯＭ（Read Only Memory）、Electrically Erasable and Programmable  ＲＯＭ（ＥＥＰＲＯＭ：登録商標）、ＨＤＤ（Hard Disk Drive）等が挙げられ、画像を保存するためのＨＤＤ等の記憶部（図示せず）を利用することもできる。
【００１７】
原稿読取部１４は、ＣＣＤ（charge-coupled device）などで構成され、読取対象となる原稿の画像を光学的に読み取る部位であり、スキャナ部とも呼ばれる。原稿読取部１４は、例えば原稿を載置する原稿台の下面に設けられ、原稿台に載置された原稿上の画像を光学的に読み取り、そのデータ（画像データ）を画像処理部１１等の後段に出力する。
【００１８】
また、ＭＦＰ１には、原稿台の上に自動原稿搬送装置（ＡＤＦ：Auto Document Feeder）を設けることもできる。ＡＤＦは、原稿を自動搬送するための装置であり、自動搬送された原稿の画像が原稿読取部１４で読み取られることになる。無論、ＡＤＦに別途原稿読取部１４を設けておいてもよい。ここで、ＡＤＦとしては、ＳＰＦ（Single Pass Feeder）やＲＳＰＦ（Reversing Single Pass Feeder）などと呼ばれる装置も含まれるものとする。
【００１９】
画像処理部１１は、印刷対象画像に画像処理を施す部位である。この画像処理としては、画像処理部１１に入力される印刷対象画像が印刷部１２で印刷可能な形式でない場合にその形式に変換する処理や、保存先に保存する形式のファイルに変換する処理などが挙げられる。画像処理部１１自体も、制御部１０と同様にファームウェアにより動作させる制御デバイスで構成することができ、集積回路／ＩＣチップセットとして搭載することもできる。また、画像処理部１１は、ＡＳＩＣ（Application Specific Integrated Circuit）としてＭＦＰ１に搭載することができる。
【００２０】
印刷部１２は、原稿読取部１４から画像データを直接入力するか、若しくは画像処理部１１で原稿読取部１４からの画像データに画像処理を施した後の画像データを入力し、その画像を印刷用紙等に印刷する。印刷部１２での印字方式は、例えば電子写真方式、インクジェット方式などが挙げられる。
【００２１】
操作部１３は、操作ボタン１３ａ及び操作パネル１３ｂを有する。ユーザは、操作部１３から、ＭＦＰ１を使用する際に設定値等を入力したり、処理を実行させたりすることが可能となっている。
【００２２】
操作ボタン１３ａは、ユーザ操作を受け付けるためのハードウェアキーであり、例えば電源キー、節電キー、ホーム画面への移行キー、コピー開始のためのスタートキー、数字を入力するための数字キー群、カーソルを左右上下に移動させるための左右上下キー、決定キーなどである。
【００２３】
操作パネル１３ｂは、例えばタッチパネル部であり、液晶ディスプレイや有機エレクトロルミネッセンスディスプレイ等の表示部と、ユーザによるその表示部の表示領域上でのタッチ操作を検出するタッチセンサ部とで構成される。上記タッチセンサ部として設けるセンサとしては、例えば静電容量方式のセンサや抵抗膜方式のセンサなど、様々な方式のセンサが適用できる。
【００２４】
この表示部にはＵＩ画像が表示され、表示されたＵＩ画像に対してタッチセンサ部でタッチが検出された場合、そのタッチ位置に対応するＵＩ画像内の画像が示す処理が実行されると共に、必要に応じてＵＩ画像の遷移がなされる。なお、例えば操作ボタン１３ａの１つであるホーム画面への移行キーのように、ハードウェアキーの押下操作によってもＵＩ画像の遷移などが可能に構成することができる。
【００２５】
なお、ＭＦＰ１に具備する操作パネルとしては、上述したようなＵＩ画像を表示させることが可能であればよく、表示部（表示パネル）のみを備え、操作入力は操作ボタン１３ａからのみ受け付けるように構成することもできる。
【００２６】
通信部１５は、外部のＰＣやサーバ装置などと通信するための有線又は無線のネットワークインタフェースであり、外部機器との通信を行う。なお、サーバ装置としては、ＦＴＰやそれから派生したプロトコルを用いたサーバ装置などが挙げられる。ＭＦＰ１は、通信部１５でＰＣから印刷ジョブを受信することや、通信部１５を介してサーバ装置にアクセスして印刷用のファイルを取得することや、画像データのファイルをサーバ装置やＰＣに保存のために送信することなどが可能となっている。
【００２７】
原稿検知部１６は、ＭＦＰ１に対してセットされた原稿を検知する。原稿検知部１６は、ＭＦＰ１に設置された各種センサ群で構成される。
【００２８】
図２で例示するＭＦＰ１は、原稿台３１の上側に開閉可能な原稿カバー３２が設置されており、その原稿カバー３２にはＡＤＦ３３も取り付けられている。
このようなＭＦＰ１の場合、原稿検知部１６として、原稿台３１の上に原稿がセットされたことを検知するセンサ、原稿台３１の周囲に設けられた原稿のサイズを検知するセンサ、原稿カバー３２が閉じられていることを検知するセンサが設けられることになる。また、ＡＤＦ３３の原稿載置トレイ上に原稿がセットされたことを検知するセンサ、ＡＤＦ３３の原稿載置トレイに設けられた、原稿ガイドの位置を検知するセンサ、ＡＤＦ３３の原稿載置トレイに設けられた、原稿挿入方向の原稿の大きさを検知するセンサも設けられる。
【００２９】
そして、以上のような各部を有するＭＦＰ１は次の表示制御部１０ａを備える。本例では、表示制御部１０ａが制御部１０に含まれるものとしたがこれに限ったものではない。
【００３０】
表示制御部１０ａは、原稿検知部１６での結果に応じて、操作パネル１３ｂに表示するＵＩ画像を変更し、より具体的には、ＵＩ画像に含まれる操作ボタンを変更する。
例えば、ＭＦＰ１では原稿検知部１６にて原稿がされておらず待機状態にあるときは操作パネル１３ｂに何も表示させないが、ＡＤＦ３３または原稿台３１に原稿がセットされたことを検知するとＵＩ画像を操作パネル１３ｂに表示させる。その際、表示制御部１０ａは、原稿がＡＤＦ３３にセットされた場合と原稿台３１にセットされた場合とでＵＩ画像を変更し、原稿台３１にセットされた場合には、特別機能の設定画面のＵＩ画像に遷移する操作ボタンを含むＵＩ画像を表示させる。これは、原稿が原稿台３１にセットされる場合というのは、原稿が特殊原稿であることが推定され、特別機能には特殊原稿に好適に利用されるものが多く含まれるからである。また、特殊原稿でない原稿であってもＡＤＦ３３にセットされる場合に比べ、原稿台３１にセットされた場合の方が特別機能を利用する可能性が高いからである。なお、特殊原稿とは、例えば、冊子状に綴じられた原稿や、サイズが小さく原稿ガイドでガイドすることができずＡＤＦ３３にセットするのに不向きな原稿である。
【００３１】
より具体的には、表示制御部１０ａは、原稿がＡＤＦ３３にセットされた場合、図３のＵＩ画像Ｐ１を表示させる。
ＵＩ画像Ｐ１は、それぞれコピー機能、ＦＡＸ機能、ドキュメントファイリング機能に対応するコピータブボタンＰ１ａ、ファクスタブボタンＰ１ｂ、ドキュメントファイリングタブボタンＰ１ｃが選択可能に表示されており、図の例では、コピータブボタンＰ１ａが選択され、コピー機能の通常機能の設定画面となっている。
【００３２】
また、ＵＩ画像Ｐ１は、コピー部数を設定するための設定領域Ｐ１ｄが表示されていると共に、コピー部数以外のコピー機能の通常機能の設定項目（例えば倍率など）についての設定画面に遷移するためのボタンＰ１ｅが選択可能に表示されている。
ＵＩ画像Ｐ１を介して入力された設定に従って白黒コピーまたはカラーコピーを開始させるスタートボタンＰ１ｆもＵＩ画像Ｐ１に表示されている。
【００３３】
さらに、ＵＩ画像Ｐ１には、アクションパネルＰ１ｇ及び該アクションパネルＰ１ｇを開閉するための開閉ボタンＰ１ｈが表示されている。図の例のＵＩ画像Ｐ１は、アクションパネルＰ１ｇが開状態である。なお、アクションパネルＰ１には、選択された機能（図の例ではコピー機能）に対応したＵＩ画像に遷移するためのボタンやメッセージ等が表示される。
【００３４】
一方、表示制御部１０ａは、原稿が原稿台３１にセットされた場合、図４のＵＩ画像Ｐ２を表示させる。
ＵＩ画像Ｐ２は、ユーザが実行させようとしているものと推定される特別機能の設定画面のＵＩ画像に遷移する操作ボタンＰ２ａ、Ｐ２ｂがアクションパネルＰ１ｇに表示されている。
操作ボタンＰ２ａは、本やパンフレットなどの見開き原稿をコピーする際、見開きの２頁毎に原稿台３１に載せて読み取れば、出来あがった印刷物を二つ折りにすると中綴じの冊子になるようコピーする「ブック複製」機能という特別機能のためのボタンである。
操作ボタンＰ２ｂは、原稿１頁を複数枚の用紙に分けて印刷し、ポスター大の印刷物を作成する「拡大連写」機能という特別機能のためのボタンである。
【００３５】
従来と同様、ＵＩ画像Ｐ１からも特別機能の設定画面のＵＩ画像に遷移させることができるが、その場合は、例えば、ＵＩ画像Ｐ１の「その他」ボタンＰ１ｉを押下して、特別機能の選択画面のＵＩ画像を表示させ、該選択画面のＵＩ画像に含まれる所望の特別機能の選択ボタンを押下することで所望の特別機能の設定画面のＵＩ画像が表示される。この場合、ＵＩ画像Ｐ２の操作ボタンＰ２ａ、Ｐ２ｂを押下する場合に比べ手間がかかる上、特別機能は多数あるので所望の特別機能を探すのに時間もかかる。言い換えると、ＭＦＰ１では、原稿を原稿台３１にセットした場合に、特別機能の設定を容易に行うことができる。
【００３６】
各操作ボタンＰ２ａ、Ｐ２ｂには、対応する特別機能の名称が示されている。このような操作ボタンＰ２ａ、Ｐ２ｂを表示することで、その特別機能の存在を予め知らないユーザであってもその特別機能を利用することができる。
各操作ボタンＰ２ａ、Ｐ２ｂには、図の例のように、名称だけでなく、該当する特別機能の説明を表示することが好ましい。これにより、特別機能に馴染みのないユーザであってもその特別機能の内容を知ることができる。
【００３７】
また、ＵＩ画像Ｐ２では、ＵＩ画像Ｐ１と共通のボタンＰ１ｅなども共に表示されており、該ＵＩ画像Ｐ２の設定画面を介して通常機能の設定も可能となっている。このようにすることで、特別機能に代えて通常機能の設定を行う際に、ＵＩ画像Ｐ１を表示した場合と同様に簡単に設定することができる。
【００３８】
なお、以上の説明では、待機状態では操作パネル１３ｂにＵＩ画像を表示しないものとしたが、待機状態においても図３のＵＩ画像Ｐ１で例示される、通常機能の設定のためのＵＩ画像を表示させるようにしてもよい。
【００３９】
図５は図１のＭＦＰ１における処理の一例を説明するためのフローチャートである。ここでは、ＭＦＰ１は予め図３のＵＩ画像Ｐ１を表示させているものとする。
ＭＦＰ１の表示制御部１０ａは、原稿検知部１６にて原稿がセットされたことが検知されると（ステップＳ１）、原稿検知部１６からの出力に基づいて、原稿は原稿台３１にセット（載置）されたか否か判定する（ステップＳ２）。
【００４０】
原稿が原稿台３１にセットされていた場合（ＹＥＳの場合）、表示制御部１０ａは、原稿を原稿台３１にセットしたユーザが実行させようとしているものと推定される特別機能として予め記憶された特別機能の設定画面に遷移する操作ボタンを含む図４のＵＩ画像Ｐ２をＵＩ画像Ｐ１に代えて表示させる（ステップＳ３）。また、原稿が原稿台３１にセットされておらずＡＤＦ３３にセットされていた場合（ステップＳ２、ＮＯの場合）、操作パネル１３ｂに表示するＵＩ画像は図３のＵＩ画像Ｐ１に維持されたままとなる。
【００４１】
ＭＦＰ１では、ＵＩ画像Ｐ１を介して通常機能の設定がなされ、または、ＵＩ画像Ｐ２の操作ボタンＰ２ａ、Ｐ２ｂの押下後に表示される別のＵＩ画像を介して特別機能の設定がなされ（ステップＳ４）、スタートボタンＰ１ｆまたは操作ボタン１３ａに含まれるスタートボタンが押下されると（ステップＳ５）、設定に従ってコピージョブを実行する（ステップＳ６）。
【００４２】
（第２の実施形態）
本発明の第２の実施形態は、第１の実施形態と同様に、表示制御部１０ａが、原稿検知部１６での検知結果に応じて、操作パネル１３ｂに表示するＵＩ画像に含まれる操作ボタンを変更し、また、第１の実施形態と異なり、表示制御部１０ａが、セットされた原稿が定型サイズか特殊サイズかに応じてＵＩ画像に含まれる操作ボタンを変更する。他の点は同様であり、その説明を省略する。
【００４３】
表示制御部１０ａは、原稿が定型サイズの場合、特別機能の設定画面のＵＩ画像に遷移する操作ボタンを含まないＵＩ画像、例えば図３のＵＩ画像Ｐ１を表示させる。一方、原稿が特殊サイズの場合、表示制御部１０ａは、特別機能の設定画面のＵＩ画像に遷移する操作ボタンを含むＵＩ画像を表示させる。
なお、特殊サイズか否かの判定は、原稿が原稿台３１上にセットされている場合は、原稿台３１の周囲に設けられた原稿サイズ検知センサからの出力結果に基づいて行われる。また、原稿がＡＤＦ３３上にセットされている場合は、ＡＤＦ３３の原稿載置トレイに設けられた、原稿ガイドの位置を検知するセンサ及び原稿挿入方向の原稿の大きさを検知するセンサからの出力結果に基づいて行われる。
【００４４】
図６は原稿が特殊サイズの場合に操作パネル１３ｂに表示されるＵＩ画像の例を示す図である。
ＵＩ画像Ｐ３は、特別機能の設定画面のＵＩ画像に遷移する操作ボタンＰ３ａ、Ｐ３ｂがアクションパネルＰ１ｇに表示されている。
【００４５】
操作ボタンＰ３ａは、名刺サイズなどの原稿をコピーする際、原稿の表裏をまとめて１枚の用紙に印刷する「カードスキャン」機能という特別機能のためのボタンである。
操作ボタンＰ３ｂは、写真などの１枚あるいは複数枚の原稿を繰り返し並べて印刷する「写真リピート」機能のためのボタンである。
操作ボタンＰ３ａ、Ｐ３ｂには、図４の操作ボタンＰ２ａ、Ｐ２ｂと同様に、対応する特別機能の名称と、該当する特別機能の説明とが表示されている。
【００４６】
なお、原稿がＡＤＦ３３にセットされる場合は、原稿が特殊サイズであっても、特別機能の設定画面のＵＩ画像に遷移する操作ボタンを含むＵＩ画像を表示させずに、同操作ボタンを含まない図３のＵＩ画像Ｐ１などのＵＩ画像を表示させるようにしてもよい。
【００４７】
図７は第２の実施形態に係わるＭＦＰの処理の一例を説明するためのフローチャートである。ここでは、ＭＦＰ１は予め図３のＵＩ画像Ｐ１を表示させているものとする。
ＭＦＰ１の表示制御部１０ａは、原稿検知部１６にて原稿がセットされたことが検知されると（ステップＳ１１）、原稿検知部１６からの出力に基づいて、原稿は原稿台３１にセットされたか否か判定する（ステップＳ１２）。
【００４８】
原稿が原稿台３１にセットされておらずＡＤＦ３３にセットされていた場合（ＮＯの場合）、操作パネル１３ｂに表示するＵＩ画像は図３のＵＩ画像Ｐ１に維持されたままとなる。
また、原稿が原稿台３１にセットされていた場合（ステップＳ１２、ＹＥＳの場合）、表示制御部１０ａは、原稿検知部１６からの出力すなわち原稿台３１の周囲に設けられた原稿サイズに基づいて、セットされたことが検知された原稿は特殊サイズか否か判定する（ステップＳ１３）。特殊サイズの場合（ＹＥＳの場合）、特殊サイズの原稿をセットしたユーザが実行させようとしているものと推定される特別機能として予め記憶された特別機能の設定画面に遷移する操作ボタンを含む図６のＵＩ画像Ｐ３をＵＩ画像Ｐ１に代えて表示させる（ステップＳ１５）。一方、ステップＳ１３において、原稿が特殊サイズでなく定型サイズの場合（ＮＯの場合）、原稿が原稿台３１にセットしたユーザが実行させようとしているものと推定される特別機能として予め記憶された特別機能の設定画面に遷移する操作ボタンを含む図４のＵＩ画像Ｐ２をＵＩ画像Ｐ１に代えて表示させる（ステップＳ１４）。
【００４９】
ＭＦＰ１では、ＵＩ画像Ｐ１を介して通常機能の設定がなされ、または、ＵＩ画像Ｐ２の操作ボタンＰ２ａ、Ｐ２ｂあるいはＵＩ画像Ｐ３の操作ボタンＰ３ａ、Ｐ３ｂの押下後に表示される別のＵＩ画像を介して特別機能の設定がなされ（ステップＳ１６）、スタートボタンＰ１ｆまたは操作ボタン１３ａに含まれるスタートボタンが押下されると（ステップＳ１７）、設定に従ってコピージョブを実行する（ステップＳ１８）。
【００５０】
（第３の実施形態）
本発明の第３の実施形態は、第１及び第２の実施形態と同様に、表示制御部１０ａが、原稿検知部１６での検知結果に応じて、操作パネル１３ｂに表示するＵＩ画像に含まれる操作ボタンを変更し、また、第１及び第２の実施形態と異なり、表示制御部１０ａが、原稿が原稿台３１にセットされた際に原稿カバー３２が閉じているか否かに応じてＵＩ画像に含まれる操作ボタンを変更する。他の点は同様であり、その説明を省略する。
【００５１】
表示制御部１０ａは、原稿が原稿台３１にセットされた際に原稿カバー３２が閉じている場合、特別機能の設定画面のＵＩ画像に遷移する操作ボタンを含まないＵＩ画像、例えば図３のＵＩ画像Ｐ１を表示させる。一方、原稿が原稿台３１にセットされた際に原稿カバー３２が閉じている場合、表示制御部１０ａは、特別機能の設定画面のＵＩ画像に遷移する操作ボタンを含むＵＩ画像を表示させる。これは、原稿台３１にセットされた際に原稿カバー３２が閉じていないのは、原稿が冊子状に綴じられたものであると推測され、該原稿に好適な特別機能の使用が予想されるからである。
なお、原稿カバー３２が閉じているか否かの判定は、例えば、原稿カバー３２の原稿台３１側に設けられた原稿台３１と接触するセンサからの出力結果に基づいて行われる。
【００５２】
図８は原稿が原稿台３１にセットされた際に原稿カバー３２が閉じていない場合に操作パネル１３ｂに表示されるＵＩ画像の例を示す図である。
ＵＩ画像Ｐ４は、特別機能の設定画面のＵＩ画像に遷移する操作ボタンＰ４ａ、Ｐ４ｂがアクションパネルＰ１ｇに表示されている。
【００５３】
操作ボタンＰ４ａは、「ブック複製」機能という特別機能のためのボタンである。
操作ボタンＰ４ｂは、冊子状の原稿の見開きページを１頁ずつ印刷する「１セット２コピー」機能のためのボタンである。
操作ボタンＰ４ａ、Ｐ４ｂには、図４の操作ボタンＰ２ａ、Ｐ２ｂと同様に、対応する特別機能の名称と、該当する特別機能の説明とが表示されている。
【００５４】
図９は第３の実施形態に係わるＭＦＰの処理の一例を説明するためのフローチャートである。ここでは、ＭＦＰ１は予め図３のＵＩ画像Ｐ１を表示させているものとする。
ＭＦＰ１の表示制御部１０ａは、原稿検知部１６にて原稿がセットされたことが検知されると（ステップＳ２１）、原稿検知部１６からの出力に基づいて、原稿は原稿台３１にセットされ原稿カバー３２が閉じているか否か判定する（ステップＳ２２）。
【００５５】
ステップＳ２２においてＮＯの場合、すなわち、原稿がＡＤＦ３３にセットされていた場合や、原稿が原稿台３１にセットされているが原稿カバー３２が閉じている場合、操作パネル１３ｂに表示するＵＩ画像は図３のＵＩ画像Ｐ１に維持されたままとなる。
一方、原稿が原稿台３１にセットされており原稿カバー３２が閉じていない場合（ステップＳ２２、ＹＥＳの場合）、表示制御部１０ａは、冊子状の原稿すなわち本などの原稿をセットしたユーザが実行させようとしているものと推定される特別機能として予め記憶された特別機能の設定画面に遷移する操作ボタンを含む図８のＵＩ画像Ｐ４をＵＩ画像Ｐ１に代えて表示させる（ステップＳ２３）。
【００５６】
ＭＦＰ１では、ＵＩ画像Ｐ１を介して通常機能の設定がなされ、または、ＵＩ画像Ｐ４の操作ボタンＰ４ａ、Ｐ４ｂの押下後に表示される別のＵＩ画像を介して特別機能の設定がなされ（ステップＳ２４）、スタートボタンＰ１ｆまたは操作ボタン１３ａに含まれるスタートボタンが押下されると（ステップＳ２５）、設定に従ってコピージョブを実行する（ステップＳ２６）。
【００５７】
コピー機能に係る特別機能は、上述の例に限られず、例えば、冊子状の原稿がセットされたことが推定される検知結果が得られた場合、外周部分や中央部分にできてしまう影を消してコピーする「枠消去」機能なども含まれる。
また、特別機能は、コピー機能に係るものだけでなく、ＦＡＸ機能やドキュメントファイリング機能などに係るものも含まれ、ＦＡＸ機能やドキュメントファイリング機能などに係る特別機能とは、例えば上述の「枠消去機能」である。
【００５８】
画像処理装置は、原稿を読み取る原稿読取部と、各種機能に係る設定を行うためのＵＩ画像を表示する表示部と、を備え、原稿読取部で読み取った原稿の画像に対し、ＵＩ画像を介して入力された設定に基づいて処理を行うものであって、当該画像処理装置に対してセットされた原稿を検知する検知部と、該検知部での検知結果に応じて、ＵＩ画像に含まれる操作ボタンを表示変更する表示制御部とを備える。このような構成にすることにより、特別機能の存在を予め知らないユーザであってもその特別機能の設定を設定画面を介して容易に行うことができる。
【００５９】
表示制御部は、原稿のセットされた場所が原稿台の場合と自動原稿搬送装置の場合とで、操作ボタンを異ならせるとよい。これにより原稿台に原稿をセットしたユーザが特別機能の設定を容易に行うことができる。
【００６０】
表示制御部は、原稿のサイズが定型サイズの場合と特殊サイズの場合とで、操作ボタンを異ならせるようにしてもよい。これにより特殊サイズの原稿をセットしたユーザが特別機能の設定を容易に行うことができる。
【００６１】
表示制御部は、前記原稿が原稿台にセットされた状態において原稿カバーが閉じているか否かに応じて前記操作ボタンを異ならせる。これにより冊子状の原稿をセットしたユーザが特別機能の設定を容易に行うことができる。
【符号の説明】
【００６２】
１…複合機（ＭＦＰ）、１０…制御部、１０ａ…表示制御部、１１…画像処理部、１２…印刷部、１３…操作部、１３ａ…操作ボタン、１３ｂ…操作パネル、１４…原稿読取部、１５…通信部、１６…原稿検知部、３１…原稿台、３２…原稿カバー、３３…ＡＤＦ。
【図１】
0006418597.tif 000002
【図２】
0006418597.tif 000003
【図３】
0006418597.tif 000004
【図４】
0006418597.tif 000005
【図５】
0006418597.tif 000006
【図６】
0006418597.tif 000007
【図７】
0006418597.tif 000008
【図８】
0006418597.tif 000009
【図９】
0006418597.tif 000010